【手続補正書】
【提出日】平成19年2月19日(2007.2.19)
【手続補正１】
【補正対象書類名】明細書
【補正対象項目名】００１４
【補正方法】変更
【補正の内容】
【００１４】
これら平面アンテナ２ａ及び２ｂは、導電性、例えば金属製の円盤状回転台４ａ及び４ｂの上面に、縦長に取り付けられている。回転台４ａ及び４ｂは、同一形状に形成されている。これらの取付は、図１、図５及び図７に示す導電性、例えば金属製の取付部６ａ及び６ｂによって行われている。取付部６ａ及び６ｂは、平面アンテナ２ａ及び２ｂの裏面下方にネジ８によって取り付けられ、更に回転台４ａ及び４ｂに、図７及び図８に示すネジ１０によって取り付けられている。平面アンテナ２ａ及び２ｂは、それらの短辺の中心位置が回転台４ａ及び４ｂの中心にそれぞれ位置するように取り付けられている。
【手続補正２】
【補正対象書類名】明細書
【補正対象項目名】００１９
【補正方法】変更
【補正の内容】
【００１９】
即ち、平面アンテナ２ａ及び２ｂの出力端子２４ａ及び２４ｂには、プローブ２６ａ及び２６ｂが取り付けられている。これらプローブ２６ａ及び２６ｂは、図５に示すように、取付部６ａ及び６ｂ内に形成された導波管部２８ａ及び２８ｂの中心を通り、その先端部が回転台４ａ及び４ｂ内に形成された導波管内３０ａ及び３０ｂ内に突出している。これら導波管３０ａ及び３０ｂ内における回転台４ａ及び４ｂの回転中心に対応する位置に、基板１４側からプローブ２２ａ及び２２ｂが突出している。プローブ２６ａから送信された衛星放送信号は、プローブ２２ａによって受信され、プローブ２６ｂから送信された衛星放送信号は、プローブ２２ｂによって受信される。プローブ２６ａ及び２６ｂとプローブ２２ａ及び２２ｂとは、それぞれ予め定められた距離、例えば衛星放送受信信号の管内波長の１／４の長さを隔てて位置している。この距離は、回転台４ａ及び４ｂが回転しても一定である。従って、平面アンテナ２ａ及び２ｂが回転台４ａ及び４ｂの回転に従って回転しても、受信に影響はない。
【手続補正３】
【補正対象書類名】明細書
【補正対象項目名】００２１
【補正方法】変更
【補正の内容】
【００２１】
パターン３３ａは、上述したプローブ２２ａが接続されるプローブ接続部３４ａを、混合回路基板３２の短縁方向の中心を繋ぐ線分上の回転台４ａの中心に対応する位置に有し、この位置から結合部まで伸びるライン３５を有している。
【手続補正４】
【補正対象書類名】明細書
【補正対象項目名】００２４
【補正方法】変更
【補正の内容】
【００２４】
この混合回路基板３２の下方には、回転円板４０ａと４０ｂとが配置されている。回転円板４０ａは、プローブ２２ａと同心に配置され、回転円板４０ｂはプローブ２２ｂと同心に配置されている。回転円板４０ａの周縁部には、案内溝２０ａ及び３８ａを挿通されたボルト１６ａが挿通される３つの貫通孔４２ａが、図４（ａ）に示すように穿設されている。同様に回転円板４０ｂの周縁部には、案内溝２０ｂ及び３８ｂを挿通されたボルト１６ｂが挿通される３つの貫通孔４２ｂが、図４（ｂ）に示すように穿設されている。従って、回転台４ａが回転したとき、この回転と一緒に回転円板４０ａが回転する。同様に、回転台４ｂが回転したとき、この回転と一緒に回転円板４０ｂが回転する。これら回転円板４０ａ及び４０ｂは、いずれも誘電体によって構成されている。
【手続補正５】
【補正対象書類名】明細書
【補正対象項目名】００２５
【補正方法】変更
【補正の内容】
【００２５】
回転円板４０ｂには、図４（ｂ）に示すように５つの窓４４が形成されている。５つの窓４４は、回転円板４０ｂの中心から放射状に約６０度間隔で形成されており、概略扇形である。これら窓４４は、図８（ａ）に示すように、ボルト１６ｂが案内溝２０ｂのほぼ中央に位置する状態（基準位置に位置する状態）において、各蛇行パターン３６１乃至３６５が各窓４４から見えるように形成され、回転円板４０ｂが案内溝２０ｂの一方の端まで回転したとき、各窓４４の間の境界部分によって全ての蛇行パターン３６１乃至３６５が覆われるように形成されている。回転円板４０ｂが回転することによって、位相器パターン３３ｂを伝送される衛星放送信号の位相が調整される。即ち、回転円板４０ｂは位相調整手段、または位相調整板として機能する。
【手続補正６】
【補正対象書類名】明細書
【補正対象項目名】００２８
【補正方法】変更
【補正の内容】
【００２８】
従って、ボルト１６ａのねじ孔５４ａへの結合を緩めて、回転台４ａに力を加えると、アンテナ２ａが回転すると共に、回転円板４０ａがアンテナ２ａと同一角度だけ回転する。同様に、ボルト１６ｂのねじ孔５４ｂへの結合を緩めて、回転台４ｂに力を加えると、アンテナ２ｂが回転すると共に、回転円板４０ｂがアンテナ２ｂと同一角度だけ回転する。上述したように、回転円板４０ｂの窓４４が回転され、回転に従って各窓４４が蛇行パターン３６１乃至３６５に重なっている状態から窓４４が蛇行パターン３６１乃至３６５に重なっていない状態に移動する。これによって、蛇行パターン３６１乃至３６５を含む位相器パターンでの移相量が、アンテナ２ａの回転に従って変化する。また、ボルト１６ａ及び１６ｂを強固に締めると、回転台４ａ及び４ｂが本体１２に固定され、平面アンテナ２ａ及び２ｂの位置も固定される。
【手続補正７】
【補正対象書類名】明細書
【補正対象項目名】００３０
【補正方法】変更
【補正の内容】
【００３０】
図７（ａ）に示すように平面アンテナ２ａ及び２ｂが基準位置にあるとき（両アンテナ２ａ及び２ｂが同一直線上にあるとき）、図６（ａ）に示すように平面アンテナ２ａ及び２ｂは、各アンテナ正面から到来する衛星放送信号を同相で受信している。この状態では、回転円板４０ｂは、図８（ａ）に示すように各窓４４から蛇行パターン３６１乃至３６５が見える。このとき、回転円板４０ａがパターン３３ａ上に重なっている状態におけるパターン３３ａでの移相量と、回転円板４０ｂがパターン３３ｂ上に上述したような形態で重なっている状態における位相器パターン３３ｂでの移相量が同一となるように、回転円板４０ａ及び４０ｂの誘電率が選択されている。
【手続補正８】
【補正対象書類名】明細書
【補正対象項目名】００３１
【補正方法】変更
【補正の内容】
【００３１】
図７（ｂ）に示すように、平面アンテナ２ａ及び２ｂが基準位置から±３０度回転したとき、図６（ａ）に示すように、平面アンテナ２ａ及び２ｂは、各アンテナ正面から到来する衛星放送信号を経路差δに相当する位相差をもって受信している。このとき、回転円板４０ａには窓は形成されていないので、回転円板４０ａが回転しても、パターン３３ａでの移相量は変化していない。しかし、図８（ｃ）に示すように、蛇行パターン３６１乃至３６５が、回転円板４０ｂの各窓４４間の境界部によって覆われている。この状態では、回転円板４０ｂの誘電率により蛇行パターン３６１乃至３６５を伝送される衛星放送信号の波長が短縮される。このときの短縮量が図６（ｂ）に示すδに相当する位相値（２πδ／λ）になるように、蛇行パターン３６１乃至３６５の長さが設定されている。このように構成しているので、平面アンテナ２ａを基準アンテナとした場合、平面アンテナ２ｂの受信出力に生じていた位相差（２πδ／λ）が解消され、平面アンテナ２ａ及び２ｂの受信出力は、同相で合成される。図８（ｂ）は、基準位置から３０度まで回転台４ａ及び４ｂが回転する途中における回転円板４０ｂと位相パターン３３ｂとの関係を示している。
【手続補正９】
【補正対象書類名】明細書
【補正対象項目名】００３２
【補正方法】変更
【補正の内容】
【００３２】
この実施形態のアンテナでは、２台の平面アンテナを使用したが、さらに多くの平面アンテナを使用することもできる。但し、基準となる平面アンテナからの距離に応じて、位相パターンによる移相量を異ならせる必要がある。また、上記の実施形態では、本体１２に二つの平面アンテナを設けたが、本体１２を２つに分けて、それぞれに平面アンテナを設けてもよい。更に、回転円板４０ｂを回転させることによって移相量を変化させたが、平面アンテナの回転に従って位相を調整する機構であれば、他の機構を使用することもできる。また、上記の実施の形態では、各回転台４ａ及び４ｂを個別に回転させるように構成したが、例えば両回転台４ａ及び４ｂ間にリンク機構を設け、一方の回転台を回転させると、他方の回転台も同一方向に同一角度回転するように構成してもよい。また、平面アンテナに代えて、八木型等の指向性アンテナを使用することもできる。なお、上記の実施の形態では、回転台４ａにおいて回転円板４０ａを回転させたが、回転円板４０ａは固定としてもよい。